(57)【特許請求の範囲】
【請求項１】
モーターと、前記モーターで駆動されて回転するカッターと、前記カッター前方に設けられ鉛筆挿入時に上下動して接点板を移動させ電源をＯＮ／ＯＦＦさせる電源スイッチボタンおよびスプリングにて弾持された安全スイッチレバーを備えた電源スイッチケースと、前記モーターとカッターと電源スイッチケース等を収納する本体ケースと、前記本体ケースの前面側に着脱自在に装着されるとともに後方に突出するレバー作動用のリブを有する受箱を備え、前記受箱を本体ケースに装着した状態で、受箱のレバー作動用のリブにて安全スイッチレバーを回転移動させ、接点板の位置規制を解除し、接点板自体の弾性力にて接点板を正規の位置に戻し、鉛筆挿入で電源スイッチボタンにより２枚の接点板が接触して電源ＯＮ状態とし、前記受箱を取り外した状態で、スプリング押圧にて安全スイッチレバーを回転復帰させて接点板を係止させ、鉛筆挿入状態でも２枚の接点板が接触しない接点間隔を確保し、電源ＯＦＦ状態にするようにしたことを特徴とする電気鉛筆削り機。
【発明の詳細な説明】
【０００１】
【発明の属する技術分野】
本発明は、安全性向上のためのインターロック機構を備えた電気鉛筆削り機に関する。
【０００２】
【従来の技術】
一般に電気鉛筆削り機においては、削り屑の受箱を外した状態のとき内部のカッター部が露出するため、インターロック機構を設けて安全を図っている。
【０００３】
以下に、従来の電気鉛筆削り機のインターロック機構について説明する。
【０００４】
図８は従来の電気鉛筆削り機の斜視図、図９は同電気鉛筆削り機のインターロック機構を示す断面図である。
【０００５】
図８および図９に示すように、電気鉛筆削り機の本体ケース１の前面には鉛筆の挿入口２があり、ここから鉛筆を挿入すると内部のスイッチレバー３が移動して電源スイッチボタン４を押し込み、接点板５と接点板６を接触させることにより電源ＯＮ状態となり、モーター７が回転する。モーター７の回転は、歯車８、９、１０を介してカッターホルダー１２を回転させ、カッターホルダー１２に備えたカッター１１の回転により鉛筆を切削する。図中の１３はスイッチレバー３の付勢用のスプリングである。
【０００６】
前記カッターホルダー１２はカッター１１を具備しているので露出した状態では危険であり、したっがて、その前部側は本体ケース１に装着された削り屑の受箱１４で覆われて保護されている。すなわち、受箱１４が装着されていなく前記カッターホルダー１２に触手可能な状態のときは、鉛筆を挿入しても電源が入らないインターロック機構になっている。
【０００７】
前記インターロック機構は具体的には図９に示すように構成されており、すなわち、受箱１４を本体ケース１に装着した状態では、スイッチレバー３は、受箱１４にビス１５により固定された受箱ツマミ１６に突設されたリブ１７によって位置規制されて図示ａ方向には逃げなくなっており、鉛筆挿入時にはスイッチレバー３をリブ１７端面にて押圧し、電源スイッチボタン４を押し込み電源を投入することができるが、受箱１４を本体ケース１から取り外すとリブ１７による位置規制がなくなって、スイッチレバー３はｂ点を支点としてａ方向へ逃げてしまい、電源スイッチボタン４を押し込むことができなくなり、電源ＯＦＦ状態となってカッター１１の回転が停止するようになっている。
【０００８】
【発明が解決しようとする課題】
しかしながら、上記従来のインターロック機構の構成では、受箱１４にビス１５にて固定された受箱ツマミ１６のリブ１７により、直接にスイッチレバー３を押圧するため、受箱１４および受箱ツマミ１６の形状をスイッチレバー３の位置まで広げなければならず、受箱１４および受箱ツマミ１６が形状的に大きくなり、デザイン的にも制約を受け、部品コストアップ、部品精度による等の問題があった。
【０００９】
そこで本発明は、上記従来の問題に留意し、受箱の部品点数を少なくしてコストを削減するとともに、小型化、デザイン性の幅を広げ、機能的には安定したインターロック機構を備えた電気鉛筆削り機を提供することを目的とする。
【００１０】
【課題を解決するための手段】
上記目的を達成するために本発明は、受箱を本体ケースに装着した状態で、受箱に形成したレバー作動用のリブにて安全スイッチレバーを回転移動させ、接点板の位置規制を解除して接点板自体の弾性力にて安全スイッチレバーを正規の位置に戻し、鉛筆挿入で２枚の接点板を接触させて電源ＯＮ状態とし、モーターを駆動させて鉛筆を切削し、前記受箱を取り外した状態で、スプリング押圧にて押上げられられた安全スイッチレバーにより接点板を移動させ係止させ、鉛筆挿入状態でも２枚の接点板が接触しないような接点間隔を確保し、確実に電源ＯＦＦの状態にするものである。
【００１１】
本発明によれば、受箱の部品点数を少なくしてコストを削減するとともに、小型化、デザイン性の幅を広げ、機能的に安定したインターロック機構を備えた電気鉛筆削り機とすることができる。
【００１２】
【発明の実施の形態】
本発明の請求項１に記載の発明は、モーターと、前記モーターで駆動されて回転するカッターと、前記カッター前方に設けられ鉛筆挿入時に上下動して接点板を移動させ電源をＯＮ／ＯＦＦさせる電源スイッチボタンおよびスプリングにて弾持された安全スイッチレバーを備えた電源スイッチケースと、前記モーターとカッターと電源スイッチケース等を収納する本体ケースと、前記本体ケースの前面側に着脱自在に装着されるとともに後方に突出するレバー作動用のリブを有する受箱を備え、前記受箱を本体ケースに装着した状態で、受箱のレバー作動用のリブにて安全スイッチレバーを回転移動させ、接点板の位置規制を解除し、接点板自体の弾性力にて接点板を正規の位置に戻し、鉛筆挿入で電源スイッチボタンにより２枚の接点板が接触して電源ＯＮ状態とし、前記受箱を取り外した状態で、スプリング押圧にて安全スイッチレバーを回転復帰させて接点板を係止させ、鉛筆挿入状態でも２枚の接点板が接触しない接点間隔を確保し、電源ＯＦＦ状態にするようにした電気鉛筆削り機であり、インターロック機構を持つ受箱は部品点数を少なくして構成しできるので部品コストを削減でき、そのデザイン性を広げ、安定したインターロック動作ができるという作用を有する。
【００１３】
以下、本発明の実施の形態を図面を参照して説明する。
【００１４】
（実施の形態１）
図１は本発明の実施の形態１の電気鉛筆削り機の斜視図、図２は同電気鉛筆削り機の縦断面図、図３は同電気鉛筆削り機における受箱装着時の電源スイッチケースの一部切り欠き断面図、図４同電気鉛筆削り機の受箱の斜視図、図５は同電気鉛筆削り機における受箱装着時および鉛筆挿入時の電源スイッチケースの一部切り欠き断面図、図６は同電源スイッチケースの受箱外し時の一部切り欠き断面図、図７は同電気鉛筆削り機における受箱外し時および鉛筆挿入時の電源スイッチケースの一部切り欠き断面図である。
【００１５】
図１に示すように、本体ケース１８はその前面に鉛筆挿入口１９を備えており、本体ケース１８には削り屑をためる受箱２０が着脱自在に装着されている。図中の２１は本体ケース１８から導出する電源コードであり、その先端には給電プラグ２２が接続されている。
【００１６】
図２に示すように、本体ケース１８内部で、かつ、鉛筆挿入口１９に対応する位置にはカッターホルダー２３や、このカッターホルダー２３に保持されたカッター２４が設けられている。また、本体ケース１８の内部には、モーター２５が配設されており、その回転は歯車２６、２７、２８を介してカッターホルダー２３に伝達されるようになっている。
【００１７】
図３に示すように、本体ケース１８内における鉛筆挿入口１９の側方には、電源スイッチケース２９が設けられており、電源スイッチケース２９の内部には、鉛筆挿入口１９まで延出した電源スイッチボタン３０と、この電源スイッチボタン３０の上方向への移動の際のストッパーとなるリブ３１と、前記電源スイッチボタン３０の上端に接する接点板Ｂ３２と、接点板Ｂ３２と間隔を一定に保つ状態で係止されリブ３３を支点とし回動移動する接点板Ａ３４および、電源スイッチケース２９の内部に設けられたボス３５を支点とし回転移動し接点板Ａ３４の位置規制をする関係を持った安全スイッチレバー３６を具備している。そしてこの安全スイッチレバー３６は左方に設けられたスプリング３７によって上方へ付勢されている。
【００１８】
図４に示すように、受箱２０は、その前板の側部より後方に突き出たレバー作動用のリブ３８を有しており、このレバー作動用のリブ３８は、受箱２０を本体ケース１８に装着したとき、前記安全スイッチレバー３６をボス３５を支点とし反時計方向に回転移動させる関係を持たせている。
【００１９】
上記構成において、図３に示すように受箱２０を本体ケース１８に装着した状態では、安全スイッチレバー３６はその端部が受箱２０のレバー作動用のリブ３８と接触することによりボス３５を支点とし反時計回りに回転移動し、接点板Ａ３４の位置規制を解除し、接点板Ａ３４はリブ３３を支点とそれ自体の弾性力にて通常の位置へ復帰する。
【００２０】
ここで図５に示すように挿入口１９より鉛筆３９を挿入すると、電源スイッチボタン３０は鉛筆３９で上方へ押され、それにより接点板Ｂ３２と接点板Ａ３４が接触して電源ＯＮ状態となり、モーター２５が回転する。この回転は、歯車２６〜２８を介してカッターホルダー２３に伝達され、カッター２４により鉛筆３９を切削する。
【００２１】
図６に示すように、受箱２０を本体ケース１８より外した状態では、安全スイッチレバー３６を係止していた受箱２０のレバー作動用のリブ３８がないため、安全スイッチレバー３６はスプリング３７のばね力によりボス３５を支点として時計回りに回転移動し、その左端にて接点板Ａ３４を押上げ係止する。
【００２２】
その状態にて図７に示すように鉛筆３８を挿入しても、電源スイッチボタン３０はリブ３１により上方への位置規制を受けているため、接点板Ｂ３２と接点板Ａ３４は接触することはなく一定の間隔を保つことが可能となり、電源ＯＦＦ状態となってモーター２５は回転しない。
【００２３】
このように受箱２０を本体ケース１８から取り外した状態で鉛筆３９を挿入してもカッター２４は回転しないので、極めて安全な電気鉛筆削り機とすることができる。
【００２４】
【発明の効果】
以上の説明より明らかなように、本発明は削り屑を受ける受箱を本体ケースから取り外した状態で安全スイッチレバーが２枚の接点板の接点間隔を広げ、鉛筆を挿入しても２枚の接点板が接触することのないような一定の接点間隔を確保できるように構成しているので、前記受箱を本体ケースから取り外した状態では鉛筆を挿入しても電源ＯＮ状態とはならず、したがってカッターが回転しない安全な電気鉛筆削り機を得ることができる。しかも、受箱にビスにて固定されていた突起を有する受箱ツマミおよびスイッチレバーを廃止できるので、部品点数を削減してコストダウンができる。また、受箱ツマミを廃止することにより受箱のデザイン的な幅を広げることが可能となり、形状も小型化できるという効果を有する。
【図面の簡単な説明】
【図１】本発明の実施の形態１の電気鉛筆削り機の斜視図
【図２】同電気鉛筆削り機の縦断面図
【図３】同電気鉛筆削り機における受箱装着時の電源スイッチケースの一部切り欠き断面図
【図４】同電気鉛筆削り機の受箱の斜視図
【図５】同電気鉛筆削り機における受箱装着時および鉛筆挿入時の電源スイッチケースの一部切り欠き断面図
【図６】同電源スイッチケースの受箱外し時の一部切り欠き断面図
【図７】同電気鉛筆削り機における受箱外し時および鉛筆挿入時の電源スイッチケースの一部切り欠き断面図
【図８】従来の電気鉛筆削り機の斜視図
【図９】同電気鉛筆削り機のインターロック機構を示す断面図
【符号の説明】
１８  本体ケース
１９  鉛筆挿入口
２０  受箱
２１  電源コード
２２  給電プラグ
２３  カッターホルダー
２４  カッター
２５  モーター
２６  歯車
２７  歯車
２８  歯車
２９  電源スイッチケース
３０  電源スイッチボタン
３１  リブ
３２  接点板Ｂ
３３  リブ
３４  接点板Ａ
３５  ボス
３６  安全スイッチレバー
３７  スプリング
３８  レバー作動用のリブ
３９  鉛筆
【図１】
0004164932.tif 000002
【図２】
0004164932.tif 000003
【図３】
0004164932.tif 000004
【図４】
0004164932.tif 000005
【図５】
0004164932.tif 000006
【図６】
0004164932.tif 000007
【図７】
0004164932.tif 000008
【図８】
0004164932.tif 000009
【図９】
0004164932.tif 000010